(57)【要約】【課題】燃焼捧の交換や燃焼灰の処理の必要性がなく、手持ち可能で、且つ十分な高温での加熱治療を安全に行い得る加熱治療装置をもたらすことにある。【解決手段】放熱用開口部１ａを持つ椀状のハウジング１と、前記放熱用開口部１ａへ向けて放熱するように前記ハウジング１内に収容された電熱体２と、前記電熱体２に給電するとともにその電熱体２の発熱量を制御するコントローラ３と、を具えてなる加熱治療装置である。【選択図】図１
2005342505.tif 000002
【特許請求の範囲】
【請求項１】
放熱用開口部を持つ椀状のハウジングと、
前記放熱用開口部へ向けて放熱するように前記ハウジング内に収容された電熱体と、
前記電熱体に給電するとともにその電熱体の発熱量を制御するコントローラと、
を具えてなる、加熱治療装置。
【請求項２】
前記ハウジングの放熱用開口部の直径は４ｃｍ以上６ｃｍ以下であり、前記電熱体の先端部はその放熱用開口部から１ｃｍ以上３ｃｍ以下引っ込んだ位置に位置することを特徴とする、請求項１記載の加熱治療装置。
【請求項３】
前記ハウジングと前記電熱体との間には断熱材が介挿されていることを特徴とする、請求項１記載の加熱治療装置。
【請求項４】
前記ハウジングと前記電熱体との間には反射板が介挿されていることを特徴とする、請求項１記載の加熱治療装置。
【請求項５】
前記ハウジングは木材またはセラミックスで形成されていることを特徴とする、請求項１記載の加熱治療装置。
【請求項６】
前記ハウジングの前記放熱用開口部の内側には網状部材が設けられていることを特徴とする、請求項１記載の加熱治療装置。
【請求項７】
前記ハウジングの前記放熱用開口部付近には温度センサが設けられ、
前記コントローラは前記温度センサの出力信号に基づき前記電熱体の発熱量を制御することを特徴とする、請求項１記載の加熱治療装置。
【請求項８】
前記コントローラには、前記電熱体の発熱量を変化させる温度調節つまみおよび、その温度調節つまみの回動位置と加熱温度との関係を色分け表示した表示部が設けられていることを特徴とする、請求項１記載の加熱治療装置。
【請求項９】
前記ハウジングの放熱用開口部を患部付近に固定するための装具を具えることを特徴とする、請求項１から８までの何れか記載の加熱治療装置。
【発明の詳細な説明】
【技術分野】
【０００１】
この発明は、皮膚上の患部あるいは皮膚の奥の体内の患部を加熱してガン等の疾病を効果的に治療する加熱治療装置に関するものである。
【背景技術】
【０００２】
皮膚上あるいはその奥の患部を温めて疾病を治療する装置としては従来、例えば燃焼捧を熱源とする温熱供給装置が知られている（特許文献１参照）。
【０００３】
この温熱供給装置は、支持筒内に艾を棒状に固めた燃焼捧を支持し、その燃焼捧の先端部の燃焼により加熱された支持筒内の空気を電動ファンで照射口から温風として患部付近の皮膚に吹き付けるものである。
【０００４】
しかしながらこの温熱供給装置では、燃焼捧の使用に伴って燃焼捧の交換や燃焼灰の処理が必要となって煩わしいとともにベッドや布団内等で使用すると火傷や火災の心配があり、また電動ファンが大きくてその重量も嵩むため手持ちでは患部付近の皮膚に温風を長時間当て続けていることが困難であるという問題があった。
【０００５】
この一方、上記不都合を改善するものとして従来、例えば電熱体の一種であるセラミックヒータを熱源とする加温装置も知られている（特許文献２参照）。
【０００６】
この加温装置は、前方に開口部が設けられた厚い円盤状のカバー内にその開口部へ向けて円板状のセラミックヒータを配置してなる直径４ｃｍ程度の円盤状のパッドと、そのセラミックヒータにケーブルを介して給電するバッテリ装置とを具え、そのパッドを患部付近の皮膚上に粘着シートやバンドで固定してからセラミックヒータに一定電力で給電することで患部を加温するものである。
【０００７】
しかしながらこの加温装置では、携帯性を重視してパッドの直径を小さくしたことから開口部の直径が２ｃｍ程度と小さいため熱量が皮膚の一箇所に集中し、そのセラミックヒータの発熱量を制御する機能もないため、安全上から皮膚を温める程度の治療しかできず、ガン等の治療に効果的な十分な高温での加熱治療が困難であるという問題があった。
【特許文献１】実開昭６３−１０３６１８号公報
【特許文献２】特開２００１−２７６２３６号公報
【発明の開示】
【発明が解決しようとする課題】
【０００８】
それゆえこの発明は、燃焼捧の交換や燃焼灰の処理の必要性がなく、手持ち可能で、且つ十分な高温での加熱治療を安全に行い得る加熱治療装置をもたらすことを目的としている。
【課題を解決するための手段】
【０００９】
上記課題を有利に解決するこの発明の加熱治療装置は、放熱用開口部を持つ椀状のハウジングと、前記放熱用開口部へ向けて放熱するように前記ハウジング内に収容された電熱体と、前記電熱体に給電するとともにその電熱体の発熱量を制御するコントローラと、を具えてなるものである。
【発明の効果】
【００１０】
かかるこの発明の加熱治療装置によれば、ハウジングの放熱用開口部を患部付近の皮膚へ向けた状態で、手持ちあるいは後述する装具を用いてそのハウジングを保持しつつ、コントローラで電熱体に給電することで、放熱用開口部へ向けて放熱する電熱体がその全体で椀状のハウジング内の空気を加熱して空気の対流で皮膚に熱を伝えるとともにその先端部からの輻射によっても皮膚に熱を伝えるので、皮膚上の患部あるいはその皮膚の奥の体内に位置する患部を継続的に加熱することができる。
【００１１】
さらにこの発明の加熱治療装置によれば、電熱体を用いるので燃焼捧の交換や燃焼灰の処理の問題が生じず何時でも、ベッドでも布団の中でも使用することができ、しかもコントローラで発熱量を調節しながら電熱体に給電するので、皮膚を５５℃乃至６０℃程度の高温に安全に加熱して、皮膚上あるいは皮膚の奥に位置する患部を、ガン等の治療に効果的な十分な高温に加熱することができる。
【００１２】
ちなみに、本願発明者による自分自身の体を披験体とした使用実験では、皮膚に４０℃程度の熱を加えた場合はむしろ患部の前立腺ガンの症状が悪化する体内感覚があったが、皮膚に５５℃乃至６０℃程度の熱を加えると血液がやや滾る感じがして、筋肉に生気が呼び起こされるように感じられ、この高温の加熱を繰り返すことにより、後述のように自分自身の前立腺ガンが完治するに至った。
【００１３】
なお、この発明の加熱治療装置においては、前記ハウジングの放熱用開口部の直径が４ｃｍ以上６ｃｍ以下であり、前記電熱体の先端部がその放熱用開口部から１ｃｍ以上３ｃｍ以下引っ込んだ位置に位置すると好ましい。このようにすれば、直径が４ｃｍ以上６ｃｍ以下の放熱用開口部が電熱体の熱の過度の集中および過度の拡散を防止し、その放熱用開口部から１ｃｍ以上３ｃｍ以下引っ込んだ位置に先端部が位置する棒状の電熱体が、椀状のハウジング内の空気を全体的に加熱して空気の対流で皮膚に熱を伝えるとともに先端部からの赤外線輻射によっても皮膚に熱を伝えるので、皮膚上あるいはその奥の患部を十分な高温に、さらに安全に加熱することができる。
【００１４】
また、この発明の加熱治療装置においては、前記ハウジングと前記電熱体との間に断熱材が介挿されていると好ましい。このようにすれば、電熱体の熱によるハウジングの温度上昇を抑制し得て、患者がハウジングを手持ちする場合の患者の負担を減らすことができる。
【００１５】
さらに、この発明の加熱治療装置においては、前記ハウジングと前記電熱体との間には反射板が介挿されていると好ましい。このようにすれば、電熱体の熱によるハウジングの温度上昇を抑制して手持ちの場合の患者の負担を減らしつつ、ハウジング内の空気の加熱および皮膚への赤外線輻射の効率を高めることができる。
【００１６】
さらに、この発明の加熱治療装置においては、前記ハウジングは、プラスチックで形成されていても良いが、木材またはセラミックスで形成されていると好ましい。一般に木材やセラミックスは金属と比較すると熱伝導率が大幅に低いので、ハウジングを木材またはセラミックスで形成すれば電熱体の熱によるハウジングの温度上昇を抑制し得て、患者がハウジングを手持ちする場合の患者の負担を減らすことができる。
【００１７】
さらに、この発明の加熱治療装置においては、前記ハウジングの前記放熱用開口部の内側に網状部材が設けられていると好ましい。このようにすれば、ベッドや布団内で加熱治療を行う場合やタオルを用いてハウジングを皮膚上に押える場合等に、それらの布がハウジングの放熱用開口部内に入り込んだり、誤って指先がハウジングの放熱用開口部内に入り込んだりするのを網状部材で確実に防止することができる。
【００１８】
さらに、この発明の加熱治療装置においては、前記ハウジングの前記放熱用開口部付近に温度センサが設けられ、前記コントローラが前記温度センサの出力信号に基づき前記電熱体の発熱量を制御すると好ましい。このようにすれば、人手でコントローラを操作しなくても、コントローラが皮膚に近い位置での温度データに基づき自動的に電熱体の発熱量を適正に制御するので、加熱治療中の温度調節の手間が省け、加熱治療中に睡眠をとることもできる。なお、前記コントローラには、電熱体への給電の開始時間や終了時間、給電継続時間等を設定し得るタイマーが設けられていても良い。
【００１９】
さらに、この発明の加熱治療装置においては、前記コントローラに、前記電熱体の発熱量を変化させる温度調節つまみおよび、その温度調節つまみの回動位置と加熱温度との関係を色分け表示した表示部が設けられていると好ましい。このように、例えば４０℃以上４５℃未満を「白」、４５℃以上５０℃未満を「緑」、５０℃以上５５℃未満を「黄」、５５℃以上６０℃以下を「赤」といった温度範囲あるいは概略温度の色分け表示を表示部に施せば、その色分け表示に従って温度調節つまみを回動させるだけで、皮膚が所望の温度になるようにコントローラを設定できるので、当該装置の操作を極めて容易なものとすることができる。
【００２０】
そして、この発明の加熱治療装置においては、前記ハウジングの放熱用開口部を患部付近に固定するための、例えば面ファスナで長さ調節や形状変更が可能なベルト等の装具を具えていると好ましい。このようにすれば、加熱治療の際にハウジングを手持ちしなくて済むので患者の負担をさらに減らすことができるとともに、繰り返しの加熱治療に際しても毎回常に患部付近の正確な位置にハウジングをセットできるので、治療効果を高めることができる。
【発明を実施するための最良の形態】
【００２１】
以下に、この発明の実施の形態を実施例によって、図面に基づき詳細に説明する。ここに、図１は、この発明の加熱治療装置の一実施例を患部付近の皮膚に密着させた使用状態で示す断面図であり、この実施例の加熱治療装置は、前部（図１では下部）に放熱用開口部１ａを持つ椀状のハウジング１と、先端部２ａをその放熱用開口部１ａへ向けてハウジング１内に収容された棒状の電熱体としての例えば概略直径９ｍｍで概略長さ２７ｍｍのカートリッジヒータ（例えばワトロー・ジャパン株式会社の商品名FIREROD）２と、そのカートリッジヒータ２に給電するとともにそのカートリッジヒータ２の発熱量を制御するコントローラ３と、を具えている。
【００２２】
ここで、ハウジング１は比較的断熱性の高い材料である木材（例えば樫木等）で形成され、そのハウジング１の放熱用開口部１ａの直径は４ｃｍ以上６ｃｍ以下、好ましくは概略４．５ｃｍとされている。またカートリッジヒータ２は、先端部２ａが放熱用開口部１ａから１ｃｍ以上３ｃｍ以下、好ましくは概略２ｃｍ引っ込んだ位置に位置するように、ハウジング１内の中央部に配置されている。
【００２３】
ハウジング１内には、裁頭円錐状の反射部４ａと円筒状の支持部４ｂとを持つ反射板４が、その反射部４ａとハウジング１の内壁との間に隙間が空くように配置されており、その反射板４の支持部４ｂはハウジング１の後部（図１では上部）に支持され、その支持部４ｂとハウジング１の後部との間には円筒状の断熱材（例えばセラミックファイバ）５が介挿されている。
【００２４】
カートリッジヒータ２の後端部は、反射板４の支持部４ｂ内に嵌め合わされて支持されており、反射板４の支持部４ｂ内にはカートリッジヒータ２の、その支持部４ｂを貫通した給電線２ｂを固定するために、耐熱性樹脂６が充填されている。
【００２５】
さらにハウジング１の放熱用開口部１ａの内側には、ハウジング１内への指や布等の侵入を防止するための網状部材（例えばカーボン繊維で編んだ網）７が設けられている。またハウジング１の前端部には、周方向に等間隔に複数箇所に通気用凹部１ｂが設けられ、それらの通気用凹部１ｂの一つの内側にはハウジング１の前端部を皮膚Ｓに当てた場合に皮膚Ｓに接し得るように温度センサ（例えばサーミスタ）８が配置されている。
【００２６】
一方、ここにおけるコントローラ３は、図２に示すように、ＡＣ１００Ｖの商用電源をカートリッジヒータ２に適した電力に調整するとともに電源スイッチ１１ａとパイロットランプ１１ｂとを持つ電源回路１１と、図１に示す温度調節つまみ１２ａの回動操作で電源スイッチ１１ａと連動して抵抗値を変化させる可変抵抗器１２ｂを持つとともに温度センサ８を接続されて電源回路１１から供給された電力をそれら可変抵抗器１２ｂと温度センサ８との抵抗値に基づき調節して創生した制御信号を出力する温度制御回路（例えばアナログ回路やマイクロコンピュータ）１２と、その温度制御回路１２が出力する制御信号（例えば制御電流）により電源回路１１から供給される電力を調節してカートリッジヒータ２に給電することでカートリッジヒータ２の発熱量を制御するヒータ駆動回路（例えば既知のトライアックとダイアックとの組合せ回路）１３とを有している。
【００２７】
そしてコントローラ３には、図１に示すように、温度調節つまみ１２ａの回動位置とカートリッジヒータ２による皮膚の加熱温度との関係を表示した表示部１４が設けられており、この表示部１４には、予め実験により求めた結果から、例えば４０℃以上４５℃未満を「白」、４５℃以上５０℃未満を「緑」、５０℃以上５５℃未満を「黄」、５５℃以上６０℃以下を「赤」といったように、温度範囲毎の色分け表示がなされている。なお、皮膚Ｓの温度が５０℃〜６０℃になる場合のカートリッジヒータ２の温度は、本願発明者の実験では概ね１６０℃〜１８０℃であった。
【００２８】
かかる実施例の加熱治療装置を使用する際には、図３に示すように、ハウジング１を患者自身または看護者が手Ｈで持ってその加熱用開口部１ａを患部付近の皮膚Ｓに当てるとともに、コントローラ３の温度調節つまみ１２ａを回動させて先ず電源スイッチ１１ａをオンにし、さらに温度調節つまみ１２ａの△マークが所望の温度範囲に向くようにその温度調節つまみ１２ａの回動位置を調節する。
これによりコントローラ３は、温度センサ８から皮膚Ｓ付近のハウジング１内の温度データをフィードバックされつつ、皮膚Ｓの温度が温度調節つまみ１２ａで設定された温度範囲内になるようにカートリッジヒータ３への給電電流を制御する。
【００２９】
従ってこの実施例の加熱治療装置によれば、放熱用開口部１ａに先端部２ａを向けたカートリッジヒータ２がその全体で椀状のハウジング１内の空気を加熱して空気の対流で皮膚Ｓに熱を伝えるとともにその先端部２ａからの輻射によっても皮膚Ｓに熱を伝えるので、皮膚Ｓ上の患部あるいはその皮膚Ｓの奥の体内に位置する患部Ａを十分に含む範囲Ｒを継続的に加熱することができる。
【００３０】
さらにこの実施例の加熱治療装置によれば、カートリッジヒータ２を用いるので燃焼捧の交換や燃焼灰の処理の問題が生じず何時でも、ベッドでも布団の中でも使用することができ、しかもコントローラ３で発熱量を調節しながらカートリッジヒータ２に給電するので、皮膚Ｓを５５℃乃至６０℃程度の高温にも安全に加熱して、皮膚Ｓ上あるいは皮膚Ｓの奥に位置する患部Ａを、ガン等の治療に効果的な十分な高温に加熱することができる。
【００３１】
さらにこの実施例の加熱治療装置によれば、直径が４ｃｍ以上６ｃｍ以下、好ましくは概略４．５ｃｍの放熱用開口部１ａがカートリッジヒータ２の熱の過度の集中および過度の拡散を防止し、その放熱用開口部１ａから１ｃｍ以上３ｃｍ以下、好ましくは概略２ｃｍ引っ込んだ位置に先端部２ａが位置するカートリッジヒータ２が、椀状のハウジング１内の空気を全体的に加熱して空気の対流で皮膚Ｓに熱を伝えるとともに先端部２ａからの赤外線輻射によっても皮膚Ｓに熱を伝えるので、図１に示すように、皮膚Ｓ上のみならず皮膚Ｓから数ｃｍ奥までも、奥に行く程狭まるもののある程度の広さにわたって高温の領域Ｒとすることができ、このことにより皮膚Ｓから数ｃｍ奥の患部Ａでもその全体を十分な高温に、安全に加熱することができる。
【００３２】
さらにこの実施例の加熱治療装置によれば、ハウジング１とカートリッジヒータ２との間に断熱材５が介挿されていることから、カートリッジヒータ２の熱によるハウジング１の温度上昇を抑制し得て、患者や看護者がハウジング１を手持ちする場合の患者や看護者の負担を減らすことができる。
【００３３】
さらにこの実施例の加熱治療装置によれば、ハウジング１とカートリッジヒータ２との間に反射板４が介挿されていることから、カートリッジヒータ２の熱によるハウジング１の温度上昇を抑制して手持ちの場合の患者や看護者の負担を減らしつつ、図１中に矢印で示すようにカートリッジヒータ２全体からの赤外線輻射を放熱用開口部１ａへ向け得て、ハウジング１内の空気の加熱および皮膚Ｓへの赤外線輻射の効率を高めることができる。
【００３４】
さらにこの実施例の加熱治療装置によれば、ハウジング１が、一般に金属と比較して熱伝導率が大幅に低い木材で形成されているので、カートリッジヒータ２の熱によるハウジング１の温度上昇を抑制し得て、患者や看護者がハウジング１を手持ちする場合の患者や看護者の負担を減らすことができる。
【００３５】
さらにこの実施例の加熱治療装置によれば、ハウジング１の放熱用開口部１ａの内側に網状部材７が設けられていることから、ベッドや布団内で加熱治療を行う場合やタオルを用いてハウジング１を皮膚Ｓ上に押える場合等に、それらの布がハウジング１の放熱用開口部１ａ内に入り込んだり、誤って指先がハウジング１の放熱用開口部１ａ内に入り込んだりするのを網状部材７で確実に防止することができる。
【００３６】
さらにこの実施例の加熱治療装置によれば、ハウジング１の放熱用開口部１ａ付近に温度センサ８が設けられ、コントローラ３が温度センサ８の出力信号に基づきカートリッジヒータ２の発熱量を制御することから、人手でコントローラ３の温度調節つまみ１２ａを操作しなくても、コントローラ３が皮膚Ｓに近い位置での温度データに基づき自動的にカートリッジヒータ２の発熱量を適正に制御するので、加熱治療中の温度調節の手間が省け、加熱治療中に睡眠をとることもできる。
【００３７】
さらにこの実施例の加熱治療装置によれば、コントローラ３に、カートリッジヒータ２の発熱量を変化させる温度調節つまみ１２ａおよび、その温度調節つまみ１２ａの回動位置と加熱温度との関係を色分け表示した表示部１４が設けられており、その表示部１４は、例えば４０℃以上４５℃未満を「白」、４５℃以上５０℃未満を「緑」、５０℃以上５５℃未満を「黄」、５５℃以上６０℃以下を「赤」といったように温度範囲毎に色分け表示されていることから、その色分け表示に従って温度調節つまみ１２ａを回動させるだけで、皮膚Ｓが所望の温度になるようにコントローラ３を設定できるので、当該装置の操作を極めて容易なものとすることができる。
【００３８】
図４は、上記実施例の加熱治療装置から反射板４を省略するとともに温度センサ８を省略して温度データのフィードバックをなくし、コントローラ３として市販の調光器（例えばトヨスター株式会社の商品名ルーコンTMC-201W）を使用すること等で構成を簡略化した、この発明の加熱治療装置の他の一実施例を用いて、本願発明者自身による使用実験を行った結果を示す特性線図である。
【００３９】
本願発明者は２００３年１月末に日本赤十字広尾病院の人間ドックに入院中、前立腺ガンの疑いがあると診断され、同年２月８日から１０日まで同病院に入院して精密検査したところ、同年２月１０日の採血による検査の結果、血清青ブレイン分のマーカ値が、正常では５以下であるところ７．５であり、前立腺ガンであると診断された。その後、２００３年６月２３日の同病院での精密検査では、血清青ブレイン分のマーカ値が８．４に上昇していた。
【００４０】
この時点で、医者の意見では前立腺を除去する必要まではないとのことであったので、やや不安に感じた本願発明者はお灸による治療を試みた。病院から薬は出ていたがお灸の効果を確認するためその薬は服用しなかった。お灸の位置はツボを参考にして自分で決め、臍下部の上下に並んだ三箇所と、会門部（会陰部）一箇所とした。お灸は毎日一回行った。
【００４１】
このお灸の効果は感じられたが、お灸では本願の従来技術でも述べたように燃焼灰の処理等の問題があったため、本願発明者は上記簡略化した実施例の加熱治療装置を開発し、お灸に代えてこの実施例の装置を２００３年７月２２日から使用開始して加熱位置はお灸の場合と同様とし、様子を見つつ使用した。病院から薬は出ていたが加熱治療装置の効果を確認するためその薬は服用しなかった。
【００４２】
その後、２００３年９月２９日の同病院での精密検査では、血清青ブレイン分のマーカ値が７．９に低下し、２００４年１月６日の同病院での精密検査では、血清青ブレイン分のマーカ値がさらに６．８まで低下していた。２００４年の４月２日から４月１９日までは毎日、臍下部と会門部（会陰部）とをそれぞれ約１時間ずつ、合計で約２時間ずつ、この実施例の加熱治療装置で皮膚が５０℃乃至６０℃になるように加熱したところ、１８日後の２００４年４月２０日の同病院での精密検査では、血清青ブレイン分のマーカ値がさらに１．０まで低下しており、本願発明者の前立腺ガンは完治するに至ったと判断された。
【００４３】
これは、ガン細胞は４２℃以上の熱で死滅するという学説に従えば、この実施例の加熱治療装置は上述のように、直径が４ｃｍ以上６ｃｍ以下、好ましくは概略４．５ｃｍの放熱用開口部１ａがカートリッジヒータ２の熱の過度の集中および過度の拡散を防止し、その放熱用開口部１ａから１ｃｍ以上３ｃｍ以下、好ましくは概略２ｃｍ引っ込んだ位置に先端部２ａが位置するカートリッジヒータ２が、椀状のハウジング１内の空気を全体的に加熱して空気の対流で皮膚Ｓに熱を伝えるとともに先端部２ａからの赤外線輻射によっても皮膚Ｓに熱を伝えるので、皮膚Ｓから数ｃｍ奥までもある程度の広さにわたって高温の領域Ｒとすることができるため、皮膚Ｓが患者の耐え得る範囲内で比較的高い５５℃乃至６０℃の高温になれば、皮膚Ｓから４ｃｍ程度奥の前立腺ガンのガン細胞でもその全体を５０℃前後の十分な高温に晒すことができたからであると推察される。
【００４４】
このことから、この実施例の加熱治療装置がガンの治療にも効果があることは明らかである。
【００４５】
図５は、この発明の加熱治療装置のさらに他の実施例を示す平面図であり、この実施例の加熱治療装置は、ハウジング１の放熱用開口部１ａを患部付近に固定するための装具としてのベルト１５を具える点のみ、最初の実施例と異なっており、他の点は最初の実施例と同一の構成を具えている。
【００４６】
ここにおけるベルト１５は、例えば革製で、概略Ｈ字状をなしており、その中央部の孔にハウジング１の後部を貫通固定されるとともに、そのＨ字の四本の腕部に面ファスナ（例えば商品名マジックテープ（登録商標））１５ａを有し、例えば図５中仮想線で示すように四本の腕部をそれぞれ患者の脚の付根に廻して長さ調節しつつ二本の環状に繋ぐことで、上述した会門部にもハウジング１を装着することができ、またそれぞれ患者の胴体に廻して長さ調節しつつ二本の環状に繋ぐことで、上述した齊下部にもハウジング１を装着することができ、さらにＸ字状に繋げることで乳ガンの場合に胸部に用い得る等、高い装着自由度を有している。
【００４７】
従ってこの実施例の実施例の加熱治療装置によれば、加熱治療の際にハウジングを手持ちしなくて済むので患者の負担をさらに減らすことができるとともに、繰り返しの加熱治療に際しても毎回常に患部付近の正確な位置にハウジングをセットできるので、治療効果を高めることができる。
【００４８】
以上、図示例に基づき説明したが、この発明は上述の例に限定されるものでなく、例えば、前記電熱体は、投光方向を主として放熱用開口部１ａへ向けてハウジング１内に配置したハロゲンランプ等の電球でも良く、また放熱方向を主として放熱用開口部１ａへ向けてハウジング１内に配置したニクロム線等の電熱線でも良い。
【００４９】
さらに、前記コントローラには、電熱体への給電の開始時間や終了時間、給電継続時間等を設定し得るタイマーが設けられていても良い。また、前記ハウジングは、耐熱性プラスチックやセラミックスで形成されていても良い。
【００５０】
さらに、前記装具は、上記実施例のものに限られず、ハウジングが固定された中央部に必要に応じて複数本、好ましくは三本以上の腕部（ベルト）が一体的に若しくは面ファスナやスナップ等で腕部同士の角度を変更可能に結合されていて、それらの腕部が患者の脚や腕や胴体等に廻された後に、それらの腕部の先端部が相互にあるいは中央部に面ファスナやスナップ等で固定されるようになっていれば良い。
【００５１】
そしてこの発明の加熱治療装置は、ガン以外の疾病の治療にも有効に用い得ることはもちろんである。
【産業上の利用可能性】
【００５２】
かくしてこの発明の加熱治療装置によれば、電熱体を用いるので燃焼捧の交換や燃焼灰の処理の問題が生じず何時でも、ベッドでも布団の中でも使用することができ、しかもコントローラで発熱量を調節しながら電熱体に給電するので、皮膚を５５℃乃至６０℃程度の高温に安全に加熱して、皮膚上あるいは皮膚の奥に位置する患部を、ガン等の治療に効果的な十分な高温に加熱することができる。
【図面の簡単な説明】
【００５３】
【図１】この発明の加熱治療装置の一実施例を患部付近の皮膚に密着させた使用状態で示す断面図である。
【図２】上記実施例の加熱治療装置のコントローラの構成を示すブロック線図である。
【図３】上記実施例の加熱治療装置の使用方法を示す説明図である。
【図４】上記実施例の加熱治療装置よりも簡略化したこの発明の加熱治療装置の他の一実施例についての本願発明者自身による使用実験結果を示す特性線図である。
【図５】この発明の加熱治療装置のさらに他の一実施例を示す平面図である。
【符号の説明】
【００５４】
１  ハウジング
１ａ  放熱用開口部
１ｂ  通気用凹部
２  カートリッジヒータ
２ａ  先端部
３  コントローラ
４  反射板
４ａ  反射部
４ｂ  支持部
５  断熱材
６  耐熱性樹脂
７  網状部材
８  温度センサ
１１  電源回路
１１ａ  電源スイッチ
１１ｂ  パイロットランプ
１２  温度制御回路
１２ａ  温度調節つまみ
１２ｂ  可変抵抗器
１３  ヒータ駆動回路
１４  表示部
Ａ  患部
Ｈ  手
Ｒ  患部を充分に含む範囲
Ｓ  皮膚
【図１】
2005342505.tif 000003
【図２】
2005342505.tif 000004
【図３】
2005342505.tif 000005
【図４】
2005342505.tif 000006
【図５】
2005342505.tif 000007